【手続補正書】
【提出日】平成17年10月25日(2005.10.25)
【手続補正１】
【補正対象書類名】明細書
【補正対象項目名】発明の名称
【補正方法】変更
【補正の内容】
【発明の名称】情報処理システム、情報処理装置及びその制御方法
【手続補正２】
【補正対象書類名】明細書
【補正対象項目名】特許請求の範囲
【補正方法】変更
【補正の内容】
【特許請求の範囲】
【請求項１】  情報処理システムであって、
画像データと前記画像データの設定情報を記憶する記憶手段と、
前記記憶手段に記憶された前記画像データの設定情報から、前記画像データに付加する所定の付加データに関する付加データ情報を取得する取得手段と、
前記取得手段で取得した前記付加データ情報が前記画像データを送信すべき複数の送信先の各々に異なる前記付加データを付加することを示す情報である場合、前記画像データに複数の異なる前記付加データを付加して複数のジョブを生成する生成手段と、  前記生成手段が生成した前記複数のジョブを前記複数のジョブの各々に対応する送信先へ送信する送信手段と、
を有することを特徴とする情報処理システム。
【請求項２】  前記付加データ情報が前記画像データを送信すべき複数の送信先に共通の前記付加データを付加することを示す情報である場合、前記生成手段は、前記画像データに前記付加データを付加してジョブを生成し、
前記送信手段は、前記生成手段が生成した前記ジョブを前記複数の送信先に送信する
ことを特徴とする請求項１に記載の情報処理システム。
【請求項３】  前記付加データ情報が前記画像データに前記付加データを付加しないことを示す情報である場合、前記生成手段は、前記画像データに前記付加データを付加しないでジョブを生成し、
前記送信手段は、前記生成手段が生成した前記ジョブを前記複数の送信先に送信する
ことを特徴とする請求項１に記載の情報処理システム。
【請求項４】  前記画像データはファクシミリデータであり、前記付加データは前記ファクシミリデータのカバーページである
ことを特徴とする請求項１乃至３のいずれか１項に記載の情報処理システム。
【請求項５】  画像データを送信する機能を有する画像送信装置に接続される情報処理装置であって、
画像データと前記画像データの設定情報を記憶する記憶手段と、
前記記憶手段に記憶された前記画像データの設定情報から、前記画像データに付加する所定の付加データに関する付加データ情報を取得する取得手段と、
前記取得手段で取得した前記付加データ情報が前記画像データを送信すべき複数の送信先の各々に異なる前記付加データを付加することを示す情報である場合、前記画像データに複数の異なる前記付加データを付加して複数のジョブを生成する生成手段と、
前記生成手段が生成した前記複数のジョブを前記複数のジョブに対応する前記複数の送信先を示す送信先情報とともに前記画像送信装置へ送信する送信手段と、
を有することを特徴とする情報処理装置。
【請求項６】  前記付加データ情報が前記画像データを送信すべき複数の送信先に共通の前記付加データを付加することを示す情報である場合、前記生成手段は、前記画像データに前記付加データを付加してジョブを生成し、
前記送信手段は、前記生成手段が生成した前記ジョブを前記ジョブに対応する前記複数の送信先を示す送信先情報とともに前記画像送信装置へ送信する
ことを特徴とする請求項５に記載の情報処理装置。
【請求項７】  前記付加データ情報が前記画像データに前記付加データを付加しないことを示す情報である場合、前記生成手段は、前記画像データに前記付加データを付加しないでジョブを生成し、
前記送信手段は、前記生成手段が生成した前記ジョブを前記ジョブに対応する前記複数の送信先を示す送信先情報とともにに送信する
ことを特徴とする請求項５又は６に記載の情報処理装置。
【請求項８】  前記画像データはファクシミリデータであり、前記付加データは前記ファクシミリデータのカバーページである
ことを特徴とする請求項５乃至７のいずれか１項に記載の情報処理装置。
【請求項９】  情報処理方法であって、
画像データと前記画像データの設定情報を記憶媒体に記憶する記憶工程と、
前記記憶媒体に記憶された前記画像データの設定情報から、前記画像データに付加する所定の付加データに関する付加データ情報を取得する取得工程と、
前記取得工程で取得した前記付加データ情報が前記画像データを送信すべき複数の送信先の各々に異なる前記付加データを付加することを示す情報である場合、前記画像データに複数の異なる前記付加データを付加して複数のジョブを生成する生成工程と、  前記生成工程が生成した前記複数のジョブを前記複数のジョブの各々に対応する送信先へ送信する送信工程と、
を有することを特徴とする情報処理方法。
【手続補正３】
【補正対象書類名】明細書
【補正対象項目名】０００５
【補正方法】変更
【補正の内容】
【０００５】
【課題を解決するための手段】
上記の目的を達成するための本発明による情報処理システムは以下の構成を備える。即ち、
情報処理システムであって、
画像データと前記画像データの設定情報を記憶する記憶手段と、
前記記憶手段に記憶された前記画像データの設定情報から、前記画像データに付加する所定の付加データに関する付加データ情報を取得する取得手段と、
前記取得手段で取得した前記付加データ情報が前記画像データを送信すべき複数の送信先の各々に異なる前記付加データを付加することを示す情報である場合、前記画像データに複数の異なる前記付加データを付加して複数のジョブを生成する生成手段と、  前記生成手段が生成した前記複数のジョブを前記複数のジョブの各々に対応する送信先へ送信する送信手段と、
を有する。
【手続補正４】
【補正対象書類名】明細書
【補正対象項目名】０００６
【補正方法】変更
【補正の内容】
【０００６】
また、好ましくは、前記付加データ情報が前記画像データを送信すべき複数の送信先に共通の前記付加データを付加することを示す情報である場合、前記生成手段は、前記画像データに前記付加データを付加してジョブを生成し、
前記送信手段は、前記生成手段が生成した前記ジョブを前記複数の送信先に送信する。
【手続補正５】
【補正対象書類名】明細書
【補正対象項目名】０００７
【補正方法】変更
【補正の内容】
【０００７】
また、好ましくは、前記付加データ情報が前記画像データに前記付加データを付加しないことを示す情報である場合、前記生成手段は、前記画像データに前記付加データを付加しないでジョブを生成し、
前記送信手段は、前記生成手段が生成した前記ジョブを前記複数の送信先に送信する。
【手続補正６】
【補正対象書類名】明細書
【補正対象項目名】０００８
【補正方法】変更
【補正の内容】
【０００８】
また、好ましくは、前記画像データはファクシミリデータであり、前記付加データは前記ファクシミリデータのカバーページである。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
上記の目的を達成するための本発明による情報処理装置は以下の構成を備える。即ち、
画像データを送信する機能を有する画像送信装置に接続される情報処理装置であって、
画像データと前記画像データの設定情報を記憶する記憶手段と、
前記記憶手段に記憶された前記画像データの設定情報から、前記画像データに付加する所定の付加データに関する付加データ情報を取得する取得手段と、
前記取得手段で取得した前記付加データ情報が前記画像データを送信すべき複数の送信先の各々に異なる前記付加データを付加することを示す情報である場合、前記画像データに複数の異なる前記付加データを付加して複数のジョブを生成する生成手段と、
前記生成手段が生成した前記複数のジョブを前記複数のジョブに対応する前記複数の送信先を示す送信先情報とともに前記画像送信装置へ送信する送信手段と、
を有する。
【手続補正１０】
【補正対象書類名】明細書
【補正対象項目名】００１２
【補正方法】変更
【補正の内容】
【００１２】
また、好ましくは、前記付加データ情報が前記画像データを送信すべき複数の送信先に共通の前記付加データを付加することを示す情報である場合、前記生成手段は、前記画像データに前記付加データを付加してジョブを生成し、
前記送信手段は、前記生成手段が生成した前記ジョブを前記ジョブに対応する前記複数の送信先を示す送信先情報とともに前記画像送信装置へ送信する。
【手続補正１１】
【補正対象書類名】明細書
【補正対象項目名】００１３
【補正方法】変更
【補正の内容】
【００１３】
また、好ましくは、前記付加データ情報が前記画像データに前記付加データを付加しないことを示す情報である場合、前記生成手段は、前記画像データに前記付加データを付加しないでジョブを生成し、
前記送信手段は、前記生成手段が生成した前記ジョブを前記ジョブに対応する前記複数の送信先を示す送信先情報とともにに送信する。
【手続補正１２】
【補正対象書類名】明細書
【補正対象項目名】００１４
【補正方法】変更
【補正の内容】
【００１４】
また、好ましくは、前記画像データはファクシミリデータであり、前記付加データは前記ファクシミリデータのカバーページである。
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】変更
【補正の内容】
【００１７】
上記の目的を達成するための本発明による情報処理方法は以下の構成を備える。即ち、
情報処理方法であって、
画像データと前記画像データの設定情報を記憶媒体に記憶する記憶工程と、
前記記憶媒体に記憶された前記画像データの設定情報から、前記画像データに付加する所定の付加データに関する付加データ情報を取得する取得工程と、
前記取得工程で取得した前記付加データ情報が前記画像データを送信すべき複数の送信先の各々に異なる前記付加データを付加することを示す情報である場合、前記画像データに複数の異なる前記付加データを付加して複数のジョブを生成する生成工程と、  前記生成工程が生成した前記複数のジョブを前記複数のジョブの各々に対応する送信先へ送信する送信工程と、
を有する。
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００９９
【補正方法】変更
【補正の内容】
【００９９】
ステップＳ１１０９で、カバーページが無い（ＣｏｖｅｒＰａｇｅＯｐｔｉｏｎが０（先頭ページの用紙サイズ）の）場合（ステップＳ１１０９でＹＥＳ）には、ステップＳ１１１１へ進む。
【手続補正２０】
【補正対象書類名】明細書
【補正対象項目名】０１００
【補正方法】変更
【補正の内容】
【０１００】
一方、ステップＳ１１０９で、カバーページが有る（ＣｏｖｅｒＰａｇｅＯｐｔｉｏｎが１（ＣｏｖｅｒＰａｇｅＳｉｚｅに指定された用紙サイズ）の）場合（ステップＳ１１０９でＮＯ）には、カバーページ設定セクションのＣｏｖｅｒＰａｇｅＳｉｚｅに指定されている用紙ＩＤが示す用紙サイズをカバーページの用紙サイズとする。
【手続補正２１】
【補正対象書類名】明細書
【補正対象項目名】０１１９
【補正方法】変更
【補正の内容】
【０１１９】
【発明の効果】
以上説明したように、本発明によれば、送信先毎に異なる付加データを適切に付加して画像データを送信することができる情報処理システム、情報処理装置及びその方法を提供できる。